【手続補正書】
【提出日】平成17年2月28日(2005.2.28)
【手続補正１】
【補正対象書類名】明細書
【補正対象項目名】全文
【補正方法】変更
【補正の内容】
【書類名】  明細書
【発明の名称】  洗面台、流し台等の排水構造
【特許請求の範囲】
【請求項１】  キャビネット内にトラップを有しそのトラップ上流側にＬ型排水継手を介して容体の排水口部材を接続し、レリースの遠隔操作で排水栓を開閉する洗面台、流し台等の排水構造において、前記Ｌ型排水継手における縦管部と横管部との連設底部に傾斜状面を設け、その傾斜状面範囲を、縦管部の排水空間が臨む全域もしくはほぼ全域に設定し、その傾斜状面が排水による自浄を促すように機能することを特徴とする洗面台、流し台等の排水構造。
【請求項２】  前記レリースを遠隔操作で移動させてその移動限で排水栓のロックとロック解除を交互に繰り返す開閉機構を操作部側に配設する一方、前記傾斜状面またはそれ以外の管部分から導入されるレリースで抜き差し可能な排水栓を押上可能にして、排水栓を引き抜いた際、縦管部内に高圧洗浄ノズル用出し入れ空間を形成し、且つ前記傾斜状面が排水による自浄作用を促すと共に前記高圧洗浄ノズルのガイド面として機能するようにしていることを特徴とする請求項１記載の洗面台、流し台等の排水構造。
【請求項３】  前記傾斜状面からレリースを案内するレリースガイドを一体に立ち上げ形成して、前記縦管部内にそのレリースガイドとの間に高圧洗浄ノズル用出し入れ空間を形成していることを特徴とする請求項２記載の洗面台、流し台等の排水構造。
【発明の詳細な説明】
【０００１】
【発明の属する技術分野】
本発明は、洗面台、流し台等のキャビネット内にトラップを収容し、そのトラップを床下配管に接続して排水経路を構成する洗面台、流し台等の排水構造に関するものである。
【０００２】
【従来技術】
従来、洗面台、流し台等の排水構造には、キャビネット内に管トラップを装設し、その管トラップを、Ｌ型排水継手を介して容体（洗面器、流し等）の排水口部材（排水口金具）に接続して排水経路を構成するタイプのものが存在する。
この種の排水構造では、図４に示すように排水口部材１に接続されるＬ型排水継手６の縦管部１６の側方から遠隔操作用のレリース９を導入し、そのレリース９の移動限で排水栓１０のロックとロック解除を行う開閉機構（スラストロック機構）１７を同縦管部１６に支持した構成（下記ではＡタイプと称する）や、図５に示すように排水口部材１に接続されるＬ型排水継手６の鉛直延長上下方に前記開閉機構（スラストロック機構）１７の収容部１７ａを突設し、その収容部１７ａ底から遠隔操作用のレリース９を導入する構成（下記ではＢタイプと称する）になっている。
【０００３】
ところで、キャビネットＫでは、同図４や図５に示すように、Ｌ型排水継手６に接続されるＵ字管とそれに接続されるステッキとで構成されたＳトラップＴの前方空間が実際の格納スペース（Ｓ）として利用されるようになっている。
また、２０００年４月１日より施法された「住宅の品質確保の促進等に関する法律」により排水配管全長を高圧洗浄することが義務付けられるようになっている。
しかしながら、前記図４に示すＡタイプでは排水口部材１のフランジ部２１からＬ型排水継手６下端（詳細には袋ナットｎ下端）までの高さ（Ｈ）が略１６０ｍｍとコンパクトであり、その下位が格納スペース（Ｓ）として利用されるようになってはいるものの、開閉機構（スラストロック機構）１７の存在によって高圧洗浄ノズルを挿入できない問題の他、その縦管部１６の底部である同縦管部１６と横管部２６とのコーナー部分に水垢等のゴミが溜まり易い問題があった。
また、図５に示すＢタイプにおいても、Ｌ型排水継手６の縦管部１６と横管部２６とが直角に連設されている構造に変わりがなく、底部であるそのコーナー部分に水垢等のゴミが溜まり易く、しかも開閉機構（スラストロック機構）１７がＬ型排水継手６の縦管部１６から垂設される配置形態になることから、排水口部材１のフランジ部２１からレリース９下端までの高さ（Ｈ）が略２００ｍｍ程必要とし、格納スペース（Ｓ）を減少させている。
【０００４】
【発明が解決しようとする課題】
本発明は上記従来事情に鑑みてなされたもので、その目的とする処は、Ｌ型排水継手における縦管部と横管部とのコーナー部への水垢等のゴミの溜まりを防止する洗面台、流し台等の排水構造を提供することにある。
他の目的とする処は、「住宅の品質確保の促進等に関する法律」で義務付けられている高圧洗浄する際に排水口から挿入されるノズルをスムースに案内する便利な洗面台、流し台等の排水構造を提供する。
【０００５】
【課題を解決するための手段】
上記目的を解決するために講じた技術的手段は、キャビネット内にトラップを有しそのトラップ上流側にＬ型排水継手を介して容体の排水口部材を接続し、レリースの遠隔操作で排水栓を開閉する洗面台、流し台等の排水構造において、前記Ｌ型排水継手における縦管部と横管部との連設底部に傾斜状面を設け、その傾斜状面範囲を、縦管部の排水空間が臨む全域もしくはほぼ全域に設定し、その傾斜状面が排水による自浄作用を促すように機能することを特徴とする洗面台、流し台等の排水構造である（請求項１）。
ここで、傾斜状面は、図１、図２に示すように、流下する排水の全てが関与するように縦管部の排水空間が臨む底部全域に亘って形成するのが最適であるが、縦管部の排水空間が臨む底部ほぼ全域に亘って形成されていれば良いものである。
【０００６】
以上の手段にあっては、Ｌ型排水継手における縦管部の横管部との連設底部を、直角状から縦管部の排水空間が臨む全域もしくはほぼ全域に亘って設けた傾斜状面に変更して、排水による自浄作用で水垢等のゴミの付着を防止する。
【０００７】
そして、前記レリースを遠隔操作で移動させてその移動限で排水栓のロックとロック解除を交互に繰り返す開閉機構を操作部側に配設する一方、前記傾斜状面またはそれ以外の管部分から導入されるレリースで抜き差し可能な排水栓を押上可能にして、
排水栓を引き抜いた際、縦管部内に高圧洗浄ノズル用出し入れ空間を形成し且つ前記傾斜状面が排水による自浄作用を促すと共に前記高圧洗浄ノズルのガイド面として機能するようにしていると好適なものである（請求項２）。
【０００８】
以上の手段では、開閉機構を縦管部内から排除することによって導入されるレリースとの間に高圧洗浄ノズル用出し入れ空間を形成し、その出し入れ空間を利用して挿入される高圧洗浄ノズルを傾斜状面で下位の排水経路にスムースに案内する。
尚、レリースを傾斜状面から導入すると自ずと操作部に連絡するレリースがＬ型排水継手の下位レベルで自らの弾性変形によって方向変換部を形成するが、開閉機構を縦管部から排除することによってそれに占有されていたスペース分、その縦管部分の短寸化が可能になるため、Ｌ型排水継手の全長（全高）を短くなり、その方向変換部の存在によって格納スペース（Ｓ）が前記Ａタイプに比べて縮減される虞れはない。
【０００９】
また、前記傾斜状面からレリースを案内するレリースガイドを一体に立ち上げ形成し、前記縦管部内にそのレリースガイドとの間に高圧洗浄ノズル用出し入れ空間を形成している場合も、排水栓開閉時のレリースの直進精度を高精度にする上で好適なものである（請求項３）。
【００１０】
【発明の実施の形態】
次に、本実施の形態洗面台、流し台等の排水構造を図１〜図３に基づいて説明すると、符号Ａは洗面台、Ｂは排水栓装置である。
【００１１】
この排水栓装置Ｂは、図１、図２に示すように容体Ｃである洗面器の排水口１００にフランジ部２１を係止する排水口部材１、その排水口部材１の下半部外周の外螺子１１にワッシャー２、パッキン３を介して螺嵌する締付ナット４、排水口部材１の下端に袋ナット５で接続されるＬ型排水継手６、洗面器Ｃの上縁面ｃに押動可能に設けられ内部に開閉機構（周知のスラストロック機構）１７を内蔵した操作部７、その操作部７とＬ型排水継手６とに亘って配線され排水口部材１内の抜き差し可能な排水栓１０を上下動させるレリース９とを備え、操作部７を押動する度にレリース９を介してその移動限で排水栓１０を持ち上げてロック（固定）と、アンロック（固定解除）とを交互に繰り返すようになっている。
【００１２】
また、この排水栓装置Ｂは、従来から周知のようにＬ型排水継手６の横管部２６にＬ字管Ｐ１を接続し、そのＬ字管Ｐ１にステッキ上部Ｐ２、ステッキＰ３下部を連続して接続してＳトラップＴを構成している。
【００１３】
前記排水栓装置Ｂでは、袋ナット５が、Ｌ型排水継手６を回転させずに排水口部材１に接続できるようになっており、このＬ型排水継手６における縦管部１６と横管部２６との連設底部を傾斜状面３６で形成させてある。
【００１４】
前記傾斜状面３６は、本実施の形態では４０度の傾斜角度にしているが湾曲状傾斜面でも構わないものであり、角度の緩急には制限されるものでもなく、この傾斜状面３６からレリース９の遊端を鉛直に導入した構成になっている。
【００１５】
その導入されたレリースの支持構成を簡単に説明すると、傾斜状面３６の中心部分からレリースガイド３６１を縦管部１６の管芯に一体に立上形成し、そのレリースガイド３６１内にレリース９のインナーワイヤ１９を導入してその先端のプランジャー２９をそのレリースガイド３６１で直進動可能に案内して排水栓１０を上下動可能とし、そのレリースガイド３６１と同軸上をもって傾斜状面３６から下方に向けて外周面に螺子４６ａを有する螺子筒４６を突設し、その螺子筒４６にアウターチューブ３９を水密状にナット５６止めした構成になっている。（図２（ａ）参照）。
尚、図２（ａ）における符号３６１ａは、レリースガイド３６１の先端開放部を閉塞する蓋体であり、この蓋体３６１ａにプランジャー２９が水密状に摺接するようになっている。
【００１６】
排水栓１０は、上方から栓蓋１０ａ、振れ止め片１０ｂ、ヘアーキャッチャー１０ｃの各中心を支軸１０ｄで支持して、排水口１００から引き抜くと、レリースガイド２９の回りに高圧洗浄ノズルＮのドーナツ状の出入り空間Ｄを確保するようになっている（図２（ｂ）参照）。
【００１７】
従って、洗面器Ｃの上縁面ｃに設けられている操作部７を押動操作することによって、プランジャー２９が支軸１０ｄを押動して開栓と閉栓を交互に繰り返して、排水、貯水を行うことができるようになる。
そして、排水は前記する傾斜状面３６で案内されるため、排水自らの自浄作用よって水垢等のゴミが溜まり易いＬ型排水継手６のコーナー部分を常時洗浄して綺麗にすることができる。
また、開閉機構１７を排水栓１０側から排除して操作部７側に設けると共にＬ型排水継手６の縦管部１６の管芯部分にレリースガイド２９を同軸上に配置した関係上、その周りに高圧洗浄ノズル用出し入れ空間Ｄが確保でき、その出し入れ空間Ｄから前記傾斜状面３６をガイド面（方向変換面）として有効活用して高圧洗浄ノズルＮを、洗面器Ｃの排水口１００からＳトラップＴが接続される床下配管まで進入させて、排水配管の高圧洗浄を義務付ける２０００年４月１日より施法された「住宅の品質確保の促進等に関する法律」を遵守することができる。
ちなみに、Ｌ型排水継手６内のレリースガイド２９周りには出入り空間Ｄとして１４ｍｍ幅のドーナツ状空間が出入り空間Ｄとして確保され、高圧洗浄ノズルＮの外径は１２ｍｍ〜１３ｍｍであるため、支障なくその高圧洗浄ノズルＮを挿入し案内することができる。
【００１８】
尚、図示しないが、傾斜状面３６上方の縦管部１６部分、もしくは横管部２６部分に各々側方からレリース９を導入する構成にしても良いものである。
【００１９】
【実施例】
図１に示す実施の形態における排水口部材１のフランジ部２１からレリース９下端までの高さ（Ｈ）は略１６０ｍｍである。そのため、図１に示すタイプにあっては、従来技術で示す図４と同等の格納スペース（Ｓ）をキャビネットＫ内に確保し、同従来技術で示す図５に比べた場合には３０ｍｍ程度同格納スペース（Ｓ）を拡張できるものであった。
また、傾斜状面３６上方の縦管部１６部分に側方からレリース９を導入する例や、横管部２６部分に側方からレリース９を導入する例については、図示しないがレリース９の方向変換部をＬ型排水継手６下方に形成する必要がないため、排水口部材１のフランジ部２１からＬ型排水継手６下端までの高さ（Ｈ）を前記１６０ｍｍよりも更に小さく抑制して、キャビネットＫ内にその分、格納スペース（Ｓ）を拡張することができる。
【００２０】
尚、請求項１にあっては、縦管部内や排水口部材内に開閉機構が配置されている洗面台、流し台等の排水構造をも包含するものである。
【００２１】
【発明の効果】
本発明は以上のように、キャビネット内にトラップを有しそのトラップ上流側にＬ型排水継手を介して容体の排水口部材を接続し、レリースの遠隔操作で排水栓を開閉する洗面台、流し台等の排水構造において、Ｌ型排水継手における縦管部と横管部との連設底部に、縦管部の排水空間が臨む全域もしくはほぼ全域に亘る広範囲に傾斜状面を設けたから、Ｌ型排水継手における縦管部の底部、即ち同縦管部と横管部とのコーナー部への水垢等のゴミの付着を、排水による自浄作用を利用して防止する構造簡単な洗面台、流し台等の排水構造を提供することができる（請求項１）。
しかも、開閉機構を縦管部内から排除して操作部側に配設することによって、導入されるレリースと縦管部との間に高圧洗浄ノズル用出し入れ空間を確保する構成のため、排水口から挿入される高圧洗浄ノズルを前記縦管部の排水空間が臨む前記連設底部全域もしくはほぼ全域に広範囲に設けた傾斜状面のガイド機能でＬ型接続継手、トラップ、それに接続される床下配管まで確実に案内して高圧洗浄するに最適な洗面台、流し台等の排水構造を構成できる（請求項２）。
その上、傾斜状面からレリースを案内するレリースガイドを一体に立ち上げ形成しているから、レリースをそのレリースガイドで優れた直進性をもって案内して排水栓を確実に押動して開閉することができる（請求項３）。
【図面の簡単な説明】
【図１】本発明洗面台、流し台等の排水構造の要部を示す断面図で中間省略して示す。
【図２】排水栓を引き抜き、レリースガイド周りに残置される出し入れ空間から高圧洗浄ノズルを挿入して高圧洗浄している状態を示し、（ａ）は、中間省略して示す断面図、（ｂ）は、その（ｂ）−（ｂ）断面図。
【図３】使用状態を示す断面図。
【図４】従来例の使用状態を示す断面図。
【図５】別の従来例の使用状態を示す断面図。
【符号の説明】
Ａ：洗面台                            Ｋ：キャビネット
Ｔ：トラップ（Ｓトラップ）            ６：Ｌ型排水継手
２６：横管部                          １６：縦管部
３６：傾斜状面                          Ｃ：容体（洗面器）
１７：開閉機構                        １０：排水栓
７：操作部                            ９：レリース
Ｄ：高圧洗浄ノズル用出し入れ空間      Ｎ：高圧洗浄ノズル
５：袋ナット                          Ｓ：格納スペース
３６１：レリースガイド